(57)【要約】【課題】  簡単な構造でその設置が容易であるとともに、かごの走行中に釣合いロープからかごに伝搬される振動を減衰させて、かご走行中の乗り心地を快適なものにすることができるエレベータの釣合いロープの制振装置を得る。【解決手段】  エレベータの昇降路内を互いに逆方向に昇降するかご及び釣合い重りと、かご及び釣合い重りを懸吊する主ロープと、この主ロープが巻き掛けられた駆動綱車を有する巻上機と、かごの位置による主ロープの重量アンバランスを補正する釣合いロープと、この釣合いロープの一端部に固定され、釣合いロープをかごに連結するロープ引き止め装置と、このロープ引き止め装置の下方となる釣合いロープの一端部に設けられた制振部と、この制振部及びロープ引き止め装置を弛緩状態に連結する連結手段とを備える。【選択図】      図３
2005306586.tif 000002
【特許請求の範囲】
【請求項１】
エレベータの昇降路内を互いに逆方向に昇降するかご及び釣合い重りと、前記かご及び前記釣合い重りを懸吊する主ロープと、この主ロープが巻き掛けられた駆動綱車を有する巻上機と、前記かごの位置による前記主ロープの重量アンバランスを補正する釣合いロープと、この釣合いロープの一端部に固定され、前記釣合いロープを前記かごに連結するロープ引き止め装置と、このロープ引き止め装置の下方となる前記釣合いロープの一端部に設けられた制振部と、この制振部及び前記ロープ引き止め装置を弛緩状態に連結する連結手段とを備えたことを特徴とするエレベータの釣合いロープの制振装置。
【請求項２】
制振部は、所定の重量を有する重りと、この重り及び釣合いロープの間に設けられた把持手段とを備えることを特徴とする請求項１に記載のエレベータの釣合いロープの制振装置。
【請求項３】
把持手段は、木製又は軟質材であることを特徴とする請求項２に記載のエレベータの釣合いロープの制振装置。
【請求項４】
連結手段は、制振部とかご固定体とに弛緩状態に連結されたことを特徴とする請求項１から請求項３の何れかに記載のエレベータの釣合いロープの制振装置。
【請求項５】
巻上機は、昇降路のピットに設けられたことを特徴とする請求項１から請求項４の何れかに記載のエレベータの釣合いロープの制振装置。
【発明の詳細な説明】
【技術分野】
【０００１】
この発明は、エレベータのかごに連結された釣合いロープの振動を減衰させる制振装置に関するものである。
【背景技術】
【０００２】
エレベータのかご及び釣合い重りを釣瓶式に懸吊する主ロープと、かごの下部及び釣合い重りの下部を接続する釣合いロープとの振れを止める従来のエレベータロープの振れ止め装置には、かごの昇降軌道の外側に配置された旋回駆動軸と、この旋回駆動軸に支持され、かごの昇降軌道の外側からかごの上方の主ロープ又はかごの下方の釣合いロープの理想軌道に向かって回動する旋回アームと、かごの状態に基づいて旋回駆動軸の駆動を制御する旋回制御部とを備え、この旋回アームの回動によって主ロープ及び釣合いロープを効果的に手繰り寄せ、これらのロープの振れ止めを効果的に行うものがある（例えば、特許文献１参照）。
【０００３】
【特許文献１】特開２００１−３１６０５８号公報
【発明の開示】
【発明が解決しようとする課題】
【０００４】
特許文献１記載のエレベータロープの振れ止め装置は、例えば、屋外に設置されているエレベータ装置のかごに連結された主ロープと釣合いロープとが強風等によって大きく振れてしまった場合に、昇降路の中間梁やガイドレール等からなる昇降路固定体に設置された振れ止め装置によって、この振れ止め装置設置場所近傍の主ロープ又は釣合いロープを理想軌道に向けて案内するものである。したがって、昇降工程の長いエレベータ装置であっても、主ロープ及び釣合いロープの振れを一定の幅以内に抑制することができ、これらのロープが建物に衝突してしまうといった事故を防止することを可能としている。しかし、この振れ止め装置では、かごの走行中に釣合いロープからかごに伝搬される振動、その中でも特に縦振動を減衰させることはできず、釣合いロープから伝わるこの振動によって、走行中のかご内の乗客の乗り心地を悪化させてしまうという問題が生じていた。また、振れ止め装置自体が大掛かりなものとなり、設置スペースの確保や設置作業が困難になるという問題もあった。
【０００５】
この発明は、上述のような課題を解決するためになされたもので、その目的は、簡単な構造でその設置が容易であるとともに、かごの走行中に釣合いロープからかごに伝搬される振動を減衰させて、かご走行中の乗り心地を快適なものにすることができるエレベータの釣合いロープの制振装置を提供することである。
【課題を解決するための手段】
【０００６】
この発明に係るエレベータの釣合いロープの制振装置は、エレベータの昇降路内を互いに逆方向に昇降するかご及び釣合い重りと、かご及び釣合い重りを懸吊する主ロープと、この主ロープが巻き掛けられた駆動綱車を有する巻上機と、かごの位置による主ロープの重量アンバランスを補正する釣合いロープと、この釣合いロープの一端部に固定され、釣合いロープをかごに連結するロープ引き止め装置と、このロープ引き止め装置の下方となる釣合いロープの一端部に設けられた制振部と、この制振部及びロープ引き止め装置を弛緩状態に連結する連結手段とを備えたものである。
【発明の効果】
【０００７】
この発明は、エレベータの昇降路内を互いに逆方向に昇降するかご及び釣合い重りと、かご及び釣合い重りを懸吊する主ロープと、この主ロープが巻き掛けられた駆動綱車を有する巻上機と、かごの位置による主ロープの重量アンバランスを補正する釣合いロープと、この釣合いロープの一端部に固定され、釣合いロープをかごに連結するロープ引き止め装置と、このロープ引き止め装置の下方となる釣合いロープの一端部に設けられた制振部と、この制振部及びロープ引き止め装置を弛緩状態に連結する連結手段とを備える構成としたことで、簡単な構造でその設置が容易であるとともに、かごの走行中に釣合いロープからかごに伝搬される振動を減衰させて、かご走行中の乗り心地を快適なものにすることができる。
【発明を実施するための最良の形態】
【０００８】
実施の形態１．
図１は、この発明の実施の形態１におけるエレベータ装置の側面図であり、エレベータのかご１が昇降路の最下階に停止した状態を示したものである。また、図２はこの発明の実施の形態１におけるエレベータの釣合いロープの制振装置の要部側面図、図３はその要部正面図、図４はこの発明の実施の形態１における制振部の分解図である。図において、エレベータ昇降路内をそれぞれのガイドレール（図示せず）に沿って互いに逆方向に昇降するかご１と釣合い重り２とは、主ロープ（図示せず）によって釣瓶式に懸吊されており、この主ロープは、昇降路上方の機械室や昇降路壁、昇降路下部等に設置された巻上機の駆動綱車（図示せず）に巻き掛けられている。昇降路内のかご１の位置によって変動する主ロープのかご１側の重量と釣合い重り２側の重量とのアンバランスを補正する釣合いロープ３は、その一端部がかご１の下部に、また、他端部が釣合い重り２の下部に連結されるとともに、中間部が昇降路下部のピット４内に設けられた張り車５に巻き掛けられることによって所定の張力が付与されている。ここで、釣合いロープ３のかご１側一端部は、ロープ引き止め装置６を介してかご１の下部固定体に弾性的に設けられている。また、かご１の走行中に釣合いロープ３からかご１に伝わる振動、その中でも特に縦振動を減衰させる制振部７は、釣合いロープ３のかご１側一端部に設けられるとともに、弛緩状態に設けられた連結手段８を介してロープ引き止め装置６に連結されている。
【０００９】
釣合いロープ３のかご１側一端部に固定され、この釣合いロープ３をかご１の下部固定体に弾性的に連結するロープ引き止め装置６には、複数本からなる釣合いロープ３のそれぞれのかご１側一端部に設けられた引き止め具６ａと、複数本からなる釣合いロープ３が等間隔に且つ一列に並ぶように引き止め具６ａを支持する取付台６ｂと、この取付台６ｂに所定の間隔を有して設けられ、上端部が取付台６ｂ上方に突出する２本のロッド６ｃとが備えられている。この引き止め具６ａは、その上部に貫通孔が設けられており、この貫通孔に挿通された軸が取付台６ｂに固定されることによってそれぞれ取付台６ｂに回動可能に支持されている。また、取付台６ｂ上方に突出するロッド６ｃの上端部は、かご１の下部固定体をそれぞれ挿通してその端部に受け金が設けられており、ロッド６ｃ上端部に設けられたこの受け金とかご１の下部固定体との間に圧縮コイルバネ等からなる弾性体６ｄが設けられている。
【００１０】
また、ロープ引き止め装置６の僅か下方となる釣合いロープ３のかご１側一端部に設けられた制振部７は、所定の重量を有し、その両端部に貫通孔が設けられた略直方体状の重り７ａと、この重り７ａ及び釣合いロープ３の間に設けられた木製若しくは軟質材等からなる略直方体状の把持手段７ｂとが備えられている。この把持手段７ｂは、その一側面に略半円状の綱溝が等間隔に上下方向に複数形成されるとともにこの綱溝の両側となる位置には綱溝と直交する貫通孔が設けられており、この綱溝に釣合いロープ３が位置するように釣合いロープ３の両側から２つの把持手段７ｂが配置されている。また、重り７ａは、その両端部に設けられた貫通孔と把持手段７ｂに設けられた貫通孔とがそれぞれ一直線状となるように、把持手段７ｂの他側面側に、この把持手段７ｂを挟むようにそれぞれ配置されている。そして、この一直線状に配置された貫通孔には、取付ボルト７ｃが挿通されており、この取付ボルト７ｃの両端部にナット７ｄが締め付けられることによって、重り７ａと把持手段７ｂとが釣合いロープ３に固定されている。なお、重り７ａの上下方向の幅は、把持手段７ｂの上下方向の幅よりも小さな幅を有しており、把持手段７ｂのみが釣合いロープ３と接触している。
【００１１】
また、ロープ引き止め装置６の取付台６ｂの下方両端部と制振部７の把持手段７ｂの上方両端部には、釣合いロープ３の両側に位置するようにそれぞれシャックル８ａが取り付けられており、取付台６ｂ一端部のシャックル８ａと把持手段７ｂ一端部のシャックル８ａ、及び、取付台６ｂ他端部のシャックル８ａと把持手段７ｂ他端部のシャックル８ａとは、弛緩状態に設けられた鎖やワイヤロープ等からなる連結具８ｂによってそれぞれ連結されている。ここで、把持手段７ｂに取り付けられたシャックル８ａは、把持手段７ｂの上方両端部に設けられた貫通孔を介して、釣合いロープ３を挟む２つの把持手段７ｂに対してそれぞれ連結されている。
【００１２】
この発明の実施の形態１によれば、かご１が昇降路内を昇降する際に釣合いロープ３に発生する振動は、かご１に伝わる前に釣合いロープ３のかご１側一端部に設けられた制振部７によって減衰されるため、かご１に乗って移動中の乗客がこの振動によって不快な感じを受けることはなく、かご１走行中の乗り心地を快適に保つことが可能となる。また、制振部７は直接釣合いロープ３に固定されるため、昇降路固定体やガイドレール等に設置スペースを確保する必要がないとともに、簡単な構造を有しているため、その取付作業も容易に行うことができ、既存のエレベータ装置にも簡単に取り付けることが可能である。なお、制振部７は、弛緩状態に設けられた連結手段８によってロープ引き止め装置６に連結されているため、かご１の走行中に発生する釣合いロープ３の振動や、かご１の昇降に伴う釣合いロープ３の繰り返し曲げによって万一ナット７ｄが緩んでしまった場合でも、重り７ａや把持手段７ｂが昇降路下方に落下するような恐れがない。したがって、例えば、ピット４に巻上機が設置されている場合に、これらの落下物が駆動綱車に巻き込まれるといった二次的災害を防止することが可能となる。
【００１３】
また、実施の形態１では、制振部７の把持手段７ｂと引き止め具６ａを支持する取付台６ｂとが連結手段８によって弛緩的に連結されているが、釣合いロープ３の一端部が固定された引き止め具６ａが弾性体６ｄを介して直接かご１の下部固定体に設けられている場合等には、制振部７の把持手段７ｂとかご１の下部固定体とを連結手段８によって弛緩的に連結しても良い。この場合、連結手段８によって連結された制振部７とかご１の下部固定体との間には弾性体６ｄが設けられているため、弾性体６ｄの変位量を考慮して、実施の形態１よりも長い連結手段８を使用したり、弾性体６ｄの変位によって発生する騒音を防止するために、鎖の変わりにワイヤロープ等を使用したりすることによって実施の形態１と同様の効果を得ることが可能となる。
【図面の簡単な説明】
【００１４】
【図１】この発明の実施の形態１におけるエレベータ装置の側面図である。
【図２】この発明の実施の形態１におけるエレベータの釣合いロープの制振装置の要部側面図である。
【図３】この発明の実施の形態１におけるエレベータの釣合いロープの制振装置の要部正面図である。
【図４】この発明の実施の形態１における制振部の分解図である。
【符号の説明】
【００１５】
１  かご
２  釣合い重り
３  釣合いロープ
４  ピット
５  張り車
６  ロープ引き止め装置
６ａ  引き止め具
６ｂ  取付台
６ｃ  ロッド
６ｄ  弾性体
７  制振部
７ａ  重り
７ｂ  把持手段
７ｃ  取付ボルト
７ｄ  ナット
８  連結手段
８ａ  シャックル
８ｂ  連結具
【図１】
2005306586.tif 000003
【図２】
2005306586.tif 000004
【図３】
2005306586.tif 000005
【図４】
2005306586.tif 000006